(57)【要約】      （修正有）【課題】ノックピンを引き抜く装置或いはノックピンの装着を手動操作による衝撃で行うことによるノックピン着脱作業の作業効率低下及び作業者の疲労を低減する。【解決手段】ノックピンＮに接続可能な先端にネジが切られたネジ部材１と、ネジ部材を保持し上下動振動子４に装着されるネジホルダー２と、一部に空間を設けた把手で保持された摺動部材でガイドされ、かつ固定リング３を装着した上下動振動子と、上下動振動子に凹凸構造で契合される、把手で保持されたベアリングで支持され、かつ角型形状の動力取入口を設けている回転カム６と、上下動振動子に一体的に組み込まれたスプリング受台８と複数のスプリングから成る、ノックピンの着脱装置である。【選択図】図１
2009072836.tif 000002
【特許請求の範囲】
【請求項１】
ノックピンに接続可能な先端にネジが切られたネジ部材と、前記ネジ部材を保持し上下動振動子に装着されるネジホルダーと、一部に空間を設けた把手で保持された摺動部材でガイドされ、かつ固定リングを装着した前記上下動振動子と、前記上下動振動子に凹凸構造で契合される、前記把手で保持されたベアリングで支持され、かつ角型形状の動力取入口を設けている回転カムと、前記上下動振動子に一体的に組み込まれたスプリング受台と複数のスプリングから成る、ノックピンの着脱装置。
【請求項２】
前記ネジ部材は、ノックピンのサイズによってネジホルダーで取替え可能なノックピンの着脱装置。
【発明の詳細な説明】
【技術分野】
【０００１】
本発明は、工作物の外表面に嵌合保持され、その工作物を他の工作物と位置決めする際に使用するノックピンに関し、装着及び引き抜きするための、ノックピンの着脱装置に関するものである。
【背景技術】
【０００２】
２つの工作物例えば上型と下型からなるプレス金型を、合致させて上型と下型の相互間で位置決めを行うとき、普通その合わせ面にノックピンを設けている。
このノックピンは、工作物の補修時などに抜き取ることがある。しかし、このノックピンは工作物に堅固に保持されるので、装着及び引き抜きには専用の着脱装置を使用することが多い。
【０００３】
例えばノックピンを引き抜く装置として、従来は、ノックピンに接続可能な連係部材と、この連係部材をその先端で保持するアダプターと、このアダプターの後端につながり該連係部材の軸心に沿う向きに配置された、端部にストッパーを設けたロットを備えたものがある。更に前記ロットには、該ロットに沿ってスライド可能な分銅を装着し、この分銅と前記ストッパーとの衝突によって衝撃を発生させる。
この衝撃によってノックピンを引き抜く構造のものが知られている(例えば、特許文献１参照)。
【０００４】
【特許文献１】特開2006-326742号(図１)
【０００５】
ノックピンの従来の装着は、ハンマーを用いノックピンを手で支え手動による衝撃で行うのが一般的である。
【発明の開示】
【発明が解決しようとする課題】
【０００６】
本発明の課題は、ノックピンを引き抜く装置或いはノックピンの装着を手動操作による衝撃で行うことにある。このためノックピン着脱作業の作業効率低下及び作業者の疲労の蓄積にある。
【課題を解決するための手段】
【０００７】
本発明は、ノックピンに接続可能な先端にネジが切られたネジ部材と、前記ネジ部材を保持し上下動振動子に装着されるネジホルダーと、一部に空間を設けた把手で保持された摺動部材でガイドされ、かつ固定リングを装着した前記上下動振動子と、前記上下動振動子に凹凸構造で契合される、前記把手で保持されたベアリングで支持され、かつ角型形状の動力取入口を設けている回転カムと、前記上下動振動子に一体的に組み込まれたスプリング受台と複数のスプリングから成る、ノックピンの着脱装置である。
【０００８】
前記ネジ部材は、ノックピンのサイズによって前記ネジホルダーで取替え可能なノックピンの着脱装置である。
【発明の効果】
【０００９】
本発明の効果は、ノックピンを引き抜く装置或いはノックピンの装着をエアー等の動力で行うことによる、作業者のノックピン着脱作業の作業効率向上及び作業者の疲労の低減にある。
【発明を実施するための最良の形態】
【００１０】
以下、図面を参照して本発明を具体的に説明する。
図１は本発明のノックピンを引き抜く装置の一実施形態を示す正面断面図、図２は図１の側面断面図、図３・図４は図１の平面断面図である。
図１に於けるネジ部材１は、先端にネジ部ａを有しそのネジ部を介してノックピンＮに接続可能である。ネジホルダー２は、内周凹部２ａにネジ部材１を装着し、かつ内周ネジ部２ｂで、上下動振動子４の一部を構成するネジ部４ａに挟持し締付けて装着する。これにてネジ部材１は、上下動振動子４と一体組込みとなる。内周にネジ部３ａを有する固定リング３は、上下動振動子４の一部を構成するネジ部４ａに装着する。これにて上下動振動子４の動作が制限される。角状鋼材等で製作し、把手５で保持された摺動部材１１（図４参照）でガイドされる上下動振動子４は、ネジ部材１の軸心方向と同一方向にのみスライド可能な形態で保持される。なお、摺動部材１１は、複数の部材１１ａ・１１ｂとし上下動振動子４の保持を安定にする。
【００１１】
把手５で保持され図３に示すベアリング７を介して支持された回転カム６は、上下動振動子４と凹凸構造で契合される。なお、ベアリング７は、複数のベアリング７ａ・７ｂとし回転カム６の保持を安定にする。上下動振動子４と回転カム６は、把手５で共に保持され、両者の関係位置は一定に保つことができる。上下動振動子４には、その一部に凹部４ｂを設け、また回転カム６には、その一部に凸部６ａを設ける。この両者４ｂ・６ａの形状は、上下動振動子４のスライド及び回転カム６の回転が、スムーズにできる最適なものとする。
上下動振動子４と回転カム６は、特殊鋼等を使用し熱処理にて硬度を高め剛性の強い部材を用いる。
回転カム６には、その中心部に角型形状を設け、動力取入口６ｂとする。この動力取入口６ｂは、市販のインパクトレンチ等が使用可能な形状とする。
【００１２】
上下動振動子４の一端にスプリング受台８を、ネジ１０を用いて上下動振動子４に固着する。スプリング受台８には、図２に示すスプリング９を装着する。
スプリング９は、スプリング受台８の一部突起部８ａ・８ｂと、把手５の一部に設けた凹部５ａ（図１参照）に、スプリング９ａ・９ｂを個々に収納する。
このスプリング９によって上下動振動子４を、常に所定位置でキープする。
【００１３】
把手５は、図２に示すように上下動振動子４・回転カム６等を収納するため上下動振動子４の軸心方向に５ｂ・５ｃの二つに分割する。これら５ｂ・５ｃは取付ネジ１２（図２参照）、ピン１３（図４参照）等で固定する。
把手５には、空間５ｄを設け本ノックピン着脱装置の取扱いの便宜を提供する。
【００１４】
本ノックピンの着脱装置は、ネジ部材１に接続された，ネジ穴を有するノックピンＮに、繰返し衝撃を与えノックピンの着脱を容易に行うようにした発明である。
例えば市販のエアーインパクトレンチを、角型形状した動力取入口６ｂに取り付けエアーインパクトレンチを操作して回転カム６を回転する。すると回転カム６と上下動振動子４の契合とスプリング９によって、上下動振動子４が往復動作する。この動作とエアーインパクトレンチの働きにより、ノックピンＮに衝撃が作用してノックピンの着脱が可能となる。
インパクトレンチは、エアー以外の油圧などの方式の機器を使用することもできる。
また、本ノックピン着脱装置は、把手５の空間５ｄを用い容易に操作することが可能である。
【００１５】
ノックピンＮのサイズが異なるときは、ネジ部材１をネジホルダー２で取外しノックピンＮのサイズに合致したネジ部材１を使用する。
更に必要ならば、容量の大きなノックピンの着脱装置を使用する。
なお、本装置は、ノックピン、ダウエルピン、平行ピン等各種機器に使用される全てのピンに適用できる。
【図面の簡単な説明】
【００１６】
【図１】は一実施例を示す正面断面図である
【図２】は側面断面図である（図１のＢ−Ｂ断面）
【図３】は平面断面図である（図１のＡ−Ａ断面）
【図４】は平面断面図である（図１のＣ−Ｃ断面）
【符号の説明】
【００１７】
１ネジ部材
２ネジホルダー
３固定リング
４上下動振動子
５把手
６回転カム
６ｂ動力取入口
７ベアリング
８スプリング受台
９スプリング
１０ネジ
１１摺動部材
１２取付ネジ
１３ピン
Ｎノックピン
【図１】
2009072836.tif 000003
【図２】
2009072836.tif 000004
【図３】
2009072836.tif 000005
【図４】
2009072836.tif 000006
【手続補正書】
【提出日】平成20年4月18日(2008.4.18)
【手続補正１】
【補正対象書類名】特許請求の範囲
【補正対象項目名】全文
【補正方法】変更
【補正の内容】
【特許請求の範囲】
【請求項１】
ノックピンに接続可能な先端にネジが切られたネジ部材と、前記ネジ部材を保持し上下動振動子に装着されるネジホルダーと、一部に空間を設けた把手で保持された摺動部材でガイドされ、かつ固定リングを装着し、長手方向の一部に凹部を設けた前記上下動振動子と、前記把手で保持されたベアリングで支持され、かつ角型形状の動力取入口を有し、一部に凸部を設けた回転カムと、前記上下動振動子に一体的に組み込まれたスプリング受台と、前記把手と前記スプリング受台の間に装着し、前記スプリング受台及び前記上下動振動子を常に長手方向の所定位置にキープするように装着された複数のスプリングから成り、前記上下動振動子の凹部と前記回転カムの凸部とが対向した位置で契合し、インパクトレンチによる前記回転カムの回転で、前記上下動振動子を長手方向に往復動作するようにしたノックピンの着脱装置。
【請求項２】
前記ネジ部材は、ノックピンのサイズによって前記ネジホルダーで取替え可能とする請求項１記載のノックピンの着脱装置。
【手続補正２】
【補正対象書類名】明細書
【補正対象項目名】全文
【補正方法】変更
【補正の内容】
【発明の詳細な説明】
【技術分野】
【０００１】
本発明は、工作物の外表面に嵌合保持され、その工作物を他の工作物と位置決めする際に使用するノックピンに関し、装着及び引き抜きするための、ノックピンの着脱装置に関するものである。
【背景技術】
【０００２】
２つの工作物例えば上型と下型からなるプレス金型を、合致させて上型と下型の相互間で位置決めを行うとき、普通その合わせ面にノックピンを設けている。
このノックピンは、工作物の補修時などに抜き取ることがある。しかし、このノックピンは工作物に堅固に保持されるので、装着及び引き抜きには専用の着脱装置を使用することが多い。
【０００３】
例えばノックピンを引き抜く装置として、従来は、ノックピンに接続可能な連係部材と、この連係部材をその先端で保持するアダプターと、このアダプターの後端につながり該連係部材の軸心に沿う向きに配置された、端部にストッパーを設けたロットを備えたものがある。更に前記ロットには、該ロットに沿ってスライド可能な分銅を装着し、この分銅と前記ストッパーとの衝突によって衝撃を発生させる。
この衝撃によってノックピンを引き抜く構造のものが知られている(例えば、特許文献１参照)。
【０００４】
【特許文献１】特開2006-326742号(図１)
【０００５】
ノックピンの従来の装着は、ハンマーを用いノックピンを手で支え手動による衝撃で行うのが一般的である。
【発明の開示】
【発明が解決しようとする課題】
【０００６】
本発明の課題は、ノックピンを引き抜く装置或いはノックピンの装着を手動操作による衝撃で行うことにある。これによるノックピン着脱作業の作業効率低下及び作業者の疲労の蓄積を、改善する装置の提供を目的とする。
【課題を解決するための手段】
【０００７】
本発明は、ノックピンに接続可能な先端にネジが切られたネジ部材と、前記ネジ部材を保持し上下動振動子に装着されるネジホルダーと、一部に空間を設けた把手で保持された摺動部材でガイドされ、かつ固定リングを装着し、一部を凹形状とした前記上下動振動子と、前記把手で保持されたベアリングで支持され、かつ角型形状の動力取入口を設けている一部を凸形状とした回転カムと、前記回転カムの凸形状部に対応する位置で、前記上下動振動子に一体的に組み込まれたスプリング受台と、前記把手と前記スプリング受台の間に装着された複数のスプリングから成り、回転カムと、スプリング受台及びスプリングで支持される上下動振動子と、前記上下動振動子の凹部と前記回転カムの凸部とが対向した位置で契合し、インパクトレンチによる前記回転カムの回転で、前記上下動振動子を長手方向に往復動作するようにしたノックピンの着脱装置。
【０００８】
前記ネジ部材は、ノックピンのサイズによって前記ネジホルダーで取替え可能とする請求項１記載のノックピンの着脱装置。
【発明の効果】
【０００９】
本発明の効果は、ノックピンを引き抜く装置或いはノックピンの装着をエアー等の動力で行うことによる、作業者のノックピン着脱作業の作業効率向上及び作業者の疲労の低減にある。
【発明を実施するための最良の形態】
【００１０】
以下、図面を参照して本発明を具体的に説明する。
図１は本発明のノックピンを引き抜く装置の一実施形態を示す正面断面図、図２は図１の側面断面図、図３・図４は図１の平面断面図である。
図１に於けるネジ部材１は、先端にネジ部ａを有しそのネジ部を介してノックピンＮに接続可能である。ネジホルダー２は、内周凹部２ａにネジ部材１を装着し、かつ内周ネジ部２ｂで、上下動振動子４の一部を構成するネジ部４ａに挟持し締付けて装着する。これにてネジ部材１は、上下動振動子４と一体組込みとなる。内周にネジ部３ａを有する固定リング３は、上下動振動子４の一部を構成するネジ部４ａに装着する。これにて上下動振動子４の動作が制限される。角状鋼材等で製作し、把手５で保持された図４に示す摺動部材１１でガイドされる上下動振動子４は、その一部に凹部４ｂを設けかつ、ネジ部材１の軸心方向と同一方向にのみスライド可能な形態で保持される。なお、摺動部材１１は、複数の部材１１ａ・１１ｂとし上下動振動子４の保持をする。
【００１１】
把手５で保持され図３に示すベアリング７を介して支持された回転カム６は、その一部に凸部６aを設ける。ベアリング７は、例えば市販の玉軸受などを用いた複数のベアリング７ａ・７ｂとし、回転カム６の保持をする。上下動振動子４と回転カム６は、把手５を共通の部材として摺動部材１１、ベアリング7を介し、共に保持され、かつ、上下動振動子４の凹部４ｂと回転カム６の凸部６ａが対向した位置で契合する。これによって上下動振動子４と回転カム６の関係位置を一定に保つことができる。この両者４ｂ及び６ａの形状は、上下動振動子４のスライド及び回転カム６の回転がスムーズにでき且つ、本特許の目的を達成する最適なものとする。
上下動振動子４と回転カム６は、特殊鋼等を使用し熱処理にて硬度を高め剛性の強い部材を用いる。回転カム６には、その中心部に角型形状を設け、動力取入口６ｂとする。この動力取入口６ｂは、市販のインパクトレンチ等が使用可能な形状とする。
【００１２】
回転カム６の凸部６ａ（上下動振動子４の凹部４ｂ）に対向した他端に、スプリング受台８を、ネジ１０を用いて上下動振動子４に固着する。スプリング受台８の一部に、ネジ部材１（上下動振動子４）の軸心（長手）方向と同一方向に突起部８ａ・８ｂを設ける。コイル形状をした図２に示すスプリング９は、複数のスプリング９ａ・９ｂからなり、把手５の一部に設けた図１に示す凹部５ａに収納しかつ、スプリング受台８の突起部８ａ・８ｂに個々に装着する。
上下動振動子4は、回転カムの凸部６ａとスプリング受台８及びスプリング９で支持されこのスプリング９の弾性によって、ある範囲内で長手方向に移動可能となる。
【００１３】
把手５は、上下動振動子４及び回転カム６等を収納するため上下動振動子４の長手方向に図２に示すように５ｂ・５ｃの二つに分割する。これら５ｂ・５ｃは取付ネジ１２（図２参照）、ピン１３（図４参照）等で固定する。
把手５には、空間５ｄを設け本ノックピン着脱装置の取扱いの便宜を提供する。
【００１４】
本ノックピンの着脱装置は、ネジ部材１に接続された，ネジ穴を有するノックピンＮに、繰返し衝撃を与えノックピンの着脱を容易に行うようにした発明である。
例えば市販のエアーインパクトレンチを、角型形状した動力取入口６ｂに取り付け、エアーインパクトレンチを操作して回転カム６を回転する。回転カム６は、ベアリング７で保持されているので回転のみ可能である。一方上下動振動子４は、回転カム６と、スプリング受台８及びスプリング９で保持しているので、スプリング９の弾性で長手方向の移動が可能である。この状態を図５で説明する。Ａはエアーインパクトレンチを操作する前の上下動振動子４と回転カム６の位置関係を示している。Ｂは、エアーインパクトレンチを操作し回転カム６がＡから動作した位置を示している。Ｂの位置に来た回転カム６は、上下動振動子４との関係即ち、図１に示す回転カム６の凸部６ａは上下動振動子４の凹部４ｂで制約を受け回転ができなくなる。このため両者はロック状態となりエアーインパクトレンチは過負荷の状態になる。エアーインパクトレンチは、過負荷になるとインパクトハンマーが移動し、エアーインパクトレンチの入力側が１回転するまでフリーの状態になり回転力がなくなる特性がある。このため回転カム６への加圧もなくなる。この間に回転カム６と上下動振動子４は、スプリング９の弾性でＣの位置になり操作前の状態に復帰する。インパクトレンチもこの間に、インパクトハンマーが元の位置戻り、次の回転で加圧が可能になる。
エアーインパクトレンチの操作でこの動作が繰返し行われ、上下動振動子４はその長手方向に往復動作する。この動作で、ノックピンＮに衝撃が作用してノックピンの着脱が可能となる。
インパクトレンチは、エアー以外の油圧などの方式の機器を使用することもできる。
また、本ノックピン着脱装置は、把手５の空間５ｄを用い容易に操作することが可能である。
【００１５】
ノックピンＮのサイズが異なるときは、ネジ部材１をネジホルダー２で取外しノックピンＮのサイズに合致したネジ部材１を使用する。
なお、本装置は、ノックピン、ダウエルピン、平行ピン等各種機器に使用される全てのピンに適用できる。更に必要ならば、容量の大きなノックピンの着脱装置を使用する。
【図面の簡単な説明】
【００１６】
【図１】は一実施例を示す正面断面図である
【図２】は側面断面図である（図１のＢ−Ｂ断面）
【図３】は平面断面図である（図１のＡ−Ａ断面）
【図４】は平面断面図である（図１のＣ−Ｃ断面）
【図５】Ａはエアーインパクトレンチ操作前の上下動振動子と回転カムの位置  Ｂはエアーインパクトレンチ操作後の上下動振動子と回転カムの位置  Ｃはエアーインパクトレンチで１回の操作が終了したときの上下動振動子と回転カムの位置
【符号の説明】
【００１７】
１ネジ部材
２ネジホルダー
３固定リング
４上下動振動子
５把手
６回転カム
６ｂ動力取入口
７ベアリング
８スプリング受台
９スプリング
１０ネジ
１１摺動部材
１２取付ネジ
１３ピン
Ｎノックピン
【手続補正３】
【補正対象書類名】図面
【補正対象項目名】図５
【補正方法】追加
【補正の内容】
【図５】
2009072836.tif 000007
【手続補正書】
【提出日】平成20年6月5日(2008.6.5)
【手続補正１】
【補正対象書類名】明細書
【補正対象項目名】全文
【補正方法】変更
【補正の内容】
【発明の詳細な説明】
【技術分野】
【０００１】
本発明は、工作物の外表面に嵌合保持され、その工作物を他の工作物と位置決めする際に使用するノックピンに関し、装着及び引き抜きするための、ノックピンの着脱装置に関するものである。
【背景技術】
【０００２】
２つの工作物例えば上型と下型からなるプレス金型を、合致させて上型と下型の相互間で位置決めを行うとき、普通その合わせ面にノックピンを設けている。
このノックピンは、工作物の補修時などに抜き取ることがある。しかし、このノックピンは工作物に堅固に保持されるので、装着及び引き抜きには専用の着脱装置を使用することが多い。
【０００３】
例えばノックピンを引き抜く装置として、従来は、ノックピンに接続可能な連係部材と、この連係部材をその先端で保持するアダプターと、このアダプターの後端につながり該連係部材の軸心に沿う向きに配置された、端部にストッパーを設けたロットを備えたものがある。更に前記ロットには、該ロットに沿ってスライド可能な分銅を装着し、この分銅と前記ストッパーとの衝突によって衝撃を発生させる。
この衝撃によってノックピンを引き抜く構造のものが知られている(例えば、特許文献１参照)。
【０００４】
【特許文献１】特開2006-326742号(図１)
【０００５】
ノックピンの従来の装着は、ハンマーを用いノックピンを手で支え手動による衝撃で行うのが一般的である。
【発明の開示】
【発明が解決しようとする課題】
【０００６】
本発明の課題は、ノックピンを引き抜く装置或いはノックピンの装着を手動操作による衝撃で行うことにある。このためノックピン着脱作業の作業効率低下及び作業者の疲労の蓄積にある。
【課題を解決するための手段】
【０００７】
本発明は、ノックピンに接続可能な先端にネジが切られたネジ部材と、前記ネジ部材を保持し上下動振動子に装着されるネジホルダーと、一部に空間を設けた把手で保持された摺動部材でガイドされ、かつ固定リングを装着し、一部を凹形状とした前記上下動振動子と、前記把手で保持されたベアリングで支持され、かつ角型形状の動力取入口を設けている一部を凸形状とした回転カムと、前記回転カムの凸形状部に対応する位置で、前記上下動振動子に一体的に組み込まれたスプリング受台と、前記把手と前記スプリング受台の間に装着された複数のスプリングから成り、回転カムと、スプリング受台及びスプリングで支持される上下動振動子と、前記上下動振動子の凹部と前記回転カムの凸部とが対向した位置で契合し、インパクトレンチによる前記回転カムの回転で、前記上下動振動子を長手方向に往復動作するようにしたノックピンの着脱装置。
【０００８】
前記ネジ部材は、ノックピンのサイズによって前記ネジホルダーで取替え可能とする請求項１記載のノックピンの着脱装置。
【発明の効果】
【０００９】
本発明の効果は、ノックピンを引き抜く装置或いはノックピンの装着をエアー等の動力で行うことによる、作業者のノックピン着脱作業の作業効率向上及び作業者の疲労の低減にある。
【発明を実施するための最良の形態】
【００１０】
以下、図面を参照して本発明を具体的に説明する。
図１は本発明のノックピンを引き抜く装置の一実施形態を示す正面断面図、図２は図１の側面断面図、図３・図４は図１の平面断面図である。
図１に於けるネジ部材１は、先端にネジ部ａを有しそのネジ部を介してノックピンＮに接続可能である。ネジホルダー２は、内周凹部２ａにネジ部材１を装着し、かつ内周ネジ部２ｂで、上下動振動子４の一部を構成するネジ部４ａに挟持し締付けて装着する。これにてネジ部材１は、上下動振動子４と一体組込みとなる。内周にネジ部３ａを有する固定リング３は、上下動振動子４の一部を構成するネジ部４ａに装着する。これにて上下動振動子４の動作が制限される。角状鋼材等で製作し、把手５で保持された摺動部材１１（図４参照）でガイドされる上下動振動子４は、ネジ部材１の軸心方向と同一方向にのみスライド可能な形態で保持される。なお、摺動部材１１は、複数の部材１１ａ・１１ｂとし上下動振動子４の保持を安定にする。
【００１１】
把手５で保持され図３に示すベアリング７を介して支持された回転カム６は、上下動振動子４と凹凸構造で契合される。なお、ベアリング７は、複数のベアリング７ａ・７ｂとし、回転カム６の保持を安定にする。上下動振動子４と回転カム６は、把手５で、共に保持され、両者の関係位置は一定に保つことができる。上下振動子４には、その一部に凹部４ｂを設け、また回転カム６には、その一部に凸部６ａを設ける。この両者４ｂ及び６ａの形状は、上下動振動子４のスライド及び回転カム６の回転が、スムーズにできる最適なものとする。
上下動振動子４と回転カム６は、特殊鋼等を使用し熱処理にて硬度を高め剛性の強い部材を用いる。
回転カム６には、その中心部に角型形状を設け、動力取入口６ｂとする。この動力取入口６ｂは、市販のインパクトレンチ等が使用可能な形状とする。
【００１２】
上下動振動子４の一端にスプリング受台８を、ネジ１０を用いて上下動振動子４に固着する。スプリング受台８には、図２に示すスプリング９を装着する。
スプリング９は、スプリング受台８の一部突起部８ａ・８ｂと、把手５の一部に設けた凹部５ａ（図１参照）に、スプリング９ａ・９ｂを個々に収納する。
このスプリング９によって上下動振動子4を、常に所定位置でキープする。
【００１３】
把手５は、図２に示すように上下動振動子４・回転カム６等を収納するため上下動振動子４の軸心方向に５ｂ・５ｃの二つに分割する。これら５ｂ・５ｃは取付ネジ１２（図２参照）、ピン１３（図４参照）等で固定する。
把手５には、空間５ｄを設け本ノックピン着脱装置の取扱いの便宜を提供する。
【００１４】
本ノックピンの着脱装置は、ネジ部材１に接続された，ネジ穴を有するノックピンＮに、繰返し衝撃を与えノックピンの着脱を容易に行うようにした発明である。
例えば市販のエアーインパクトレンチを、角型形状した動力取入口６ｂに取り付け、エアーインパクトレンチを操作して回転カム６を回転する。すると回転カム６と上下動振動子４の契合とスプリング９によって、上下動振動子４が往復動作する。この動作とエアーインパクトレンチの働きにより、ノックピンＮに衝撃が作用してノックピンの着脱が可能となる。
インパクトレンチは、エアー以外の油圧などの方式の機器を使用することもできる。
また、本ノックピン着脱装置は、把手５の空間５ｄを用い容易に操作することが可能である。
【００１５】
ノックピンＮのサイズが異なるときは、ネジ部材１をネジホルダー２で取外しノックピンＮのサイズに合致したネジ部材１を使用する。
更に必要ならば、容量の大きなノックピンの着脱装置を使用する。
なお、本装置は、ノックピン、ダウエルピン、平行ピン等各種機器に使用される全てのピンに適用できる。
【図面の簡単な説明】
【００１６】
【図１】は一実施例を示す正面断面図である
【図２】は側面断面図である（図１のＢ−Ｂ断面）
【図３】は平面断面図である（図１のＡ−Ａ断面）
【図４】は平面断面図である（図１のＣ−Ｃ断面）
【符号の説明】
【００１７】
１ネジ部材
２ネジホルダー
３固定リング
４上下動振動子
５把手
６回転カム
６ｂ動力取入口
７ベアリング
８スプリング受台
９スプリング
１０ネジ
１１摺動部材
１２取付ネジ
１３ピン
Ｎノックピン      
【手続補正２】
【補正対象書類名】図面
【補正対象項目名】図５
【補正方法】削除
【補正の内容】